(57)【特許請求の範囲】
【請求項１】
金属製のハンドルを扉の取付開口に扉の正面側から背面側に嵌め込み、扉の背面に金属材からなる取付部材を設け、前記取付部材を通して金属製の取付ねじを前記ハンドルの背面に締結することにより前記取付部材を扉の背面に圧接して、前記ハンドルを扉に取り付ける形式を取る前記ハンドルに装着されて、前記ハンドルの帯電を防止するハンドル用帯電防止金具であって、
金属材からなり、
前記取付部材の各部のうち、前記取付部材の扉の背面への取付時に扉の背面に近接対向し、前記取付ねじの締め込みにより扉の背面に圧接可能な所定の位置に取り付け可能な任意の形状に形成され、又は前記取付部材と同一の又は近似した形状に形成され、
当該形状の一部に扉の背面に向けて突出し扉の背面に食い込み可能な突起を有し、
前記取付部材の所定の位置に取り付けられて前記取付部材と扉の背面との間に介装され、又は前記取付部材に代えて取り付けられて、
前記取付ねじの締め込みにより前記取付部材を扉の背中に圧接させることにより、前記突起を扉の背面に食い込み接触させて、扉にアースを取る、
ことを特徴とするハンドル用帯電防止金具。
【請求項２】
ハンドルの背面の前記ハンドルの長さ方向中間部に取付ねじのためのねじ締結部がある場合で、取付部材が、扉の背面で扉の取付開口両側の各縁部に圧接可能に当接する一対のフレームと、前記一対のフレーム間に連結され、前記ハンドルの背面を押え固定するための押えプレートと、前記押えプレートに前記ハンドルの背面に設けられたねじ締結部に対向して形成される前記取付ねじのためのねじ挿通部とを有する取付部材を含む、扉の背面に当接するフレーム状の部材を有する形式にあっては、前記フレーム状の部材の扉の背面に対向する縁部及びその両側に沿って嵌め込み可能に断面略コ字形に形成されて、前記フレーム状の部材の扉の背面に対向する縁部に接する中央当接部と、前記フレーム状の部材の扉の背面に対向する縁部の両側に接する両側挟持部と、前記両側挟持部の一方又は両方に形成され、前記中央当接部方向に延び、当該中央当接部を超えて突出する突起とを備え、前記フレーム状の部材に前記扉の背面に対向する縁部側から嵌め込み可能なクリップ式とする請求項１に記載のハンドル用帯電防止金具。
【請求項３】
ハンドルの背面の前記ハンドルの長さ方向中間部に取付ねじのためのねじ締結部がある場合で、取付部材が、扉の背面で扉の取付開口両側の各縁部に圧接可能に当接する一対のフレームと、前記一対のフレーム間に連結され、前記ハンドルの背面を押え固定するための押えプレートと、前記押えプレートに前記ハンドルの背面に設けられたねじ締結部に対向して形成される前記取付ねじのためのねじ挿通部とを有する取付部材を含む、扉の背面に当接するフレーム状の部材を有する形式にあっては、前記取付部材と同形状又は近似した形状からなり、前記フレーム状の部材の扉の背面に対向する縁部の両側又は片側一方に一体的に形成され、前記フレーム状の部材の扉の背面に対向する縁部方向に延び、当該縁部を超えて突出する突起を有し、前記取付部材に代えて取り付けられる取付部材式とする請求項１に記載のハンドル用帯電防止金具。
【請求項４】
ハンドルの背面の前記ハンドルの長さ方向両端部に取付ねじのためのねじ締結部がある場合で、取付部材が、扉の取付開口の当該取付開口の長さ方向両端部に形成された各ねじ挿通部の扉の背面側で扉の背面と取付ねじとの間に介装される形式にあっては、扉の背面と前記取付ねじのねじ頭部との間に介装可能に略コ字形に形成されて、前記取付ねじのねじ部を挿通可能なねじ挿通孔を有し、前記取付ねじのねじ頭部により押圧可能な中央のねじ係合部と、前記ねじ係合部から前記取付ねじのねじ部の方向に所定の長さまで延びる両側の突状部と、前記各突状部の先端から突出される突起とを有し、前記取付部材に代えて取り付けられる取付部材式とする請求項１に記載のハンドル用帯電防止金具。
【請求項５】
ハンドルの背面の前記ハンドルの長さ方向両端部に取付ねじのためのねじ締結部がある場合で、取付部材が、扉の取付開口の当該取付開口の長さ方向両端部に形成された各ねじ挿通部の扉の背面側で扉の背面と取付ねじとの間に介装される形式にあっては、扉の背面と前記取付ねじのねじ頭部との間に介装可能に略有底の筒状に形成されて、前記取付ねじのねじ部を挿通可能なねじ挿通孔を有し、前記取付ねじのねじ頭部により押圧可能な一端のねじ係合部と、前記ねじ係合部から前記取付ねじのねじ部の方向に所定の長さまで延びる筒状の突状部と、前記突状部の先端から突出される突起とを有し、前記取付部材に代えて取り付けられる取付部材式とする請求項１に記載のハンドル用帯電防止金具。
【請求項６】
ハンドルの背面に取付ねじのためのねじ締結部がある場合で、取付部材が、扉の背面と前記ハンドルの背面との間に架け渡しされ、取付ねじにより取り付けられる形式にあっては、前記ハンドルの背面を押え保持するための背面保持部、及び前記背面保持部に前記ハンドルの背面に設けられたねじ締結部に対向して形成される前記取付ねじのためのねじ挿通部と、前記背面保持部の両側から前記ハンドルの両側面に沿ってかつ扉の取付開口両側の各縁部に圧接可能に延びる両側支持部、及び前記両側支持部の少なくとも一方の扉の背面に対向する縁部に一体的に形成され、当該縁部を超えて扉の背面に向けて突出する突起とを備え、前記取付部材に代えて取り付けられる取付部材式とする請求項１に記載のハンドル用帯電防止金具。
【発明の詳細な説明】
【技術分野】
【０００１】
本発明は、重電機器、電気設備など各種の機器格納用のキャビネットやケースの扉その他各種の扉に使用するハンドル用帯電防止金具に関する。
【背景技術】
【０００２】
従来、重電機器、電気設備などの機器格納用のキャビネットやケースの扉に用いる平面ハンドルは、例えば特許文献１により開示されているように、扉に固着されるハンドルベースと、ハンドルベースに回転可能に挿通されるハンドル軸に回動軸を介してハンドルベースに対して起伏回動可能に装着されるハンドルレバーと、ハンドルベースの背面側にハンドル軸を介して回転可能に取り付けられ、ハンドルレバーの操作により、キャビネット本体などの固定枠体側の受け金に対して係脱可能な止め金とを備える。このハンドルは、通常、ハンドルベースが扉の取付開口に扉の正面側から背面側に嵌め込まれ、扉の背面に金属材からなる取付部材が設けられ、この取付部材を通して金属製の取付ねじがハンドルの背面に締結されることにより取付部材が扉の背面に圧接されて、扉に取り付けられる。
このようにして平面ハンドルは、扉の開閉時にハンドルレバーをハンドルベースから引き起こして回転操作することにより止め金を受け金に対して係脱し、扉を閉めた後はハンドルレバーをハンドルベース上に倒伏して収納する形式を採っている。
【先行技術文献】
【特許文献】
【０００３】
【特許文献１】特開２００３−３７００公報
【発明の概要】
【発明が解決しようとする課題】
【０００４】
ところで、この種のハンドルは、絶縁性を有する塗装を施された扉に取り付けられることが多いが、この場合でも、ハンドルそれ自体が、通常、金属により形成されているため、ハンドル周囲の環境などによりハンドルレバーに静電気が帯電することがあり、ユーザーが扉を開閉するため、手でハンドルレバーに触ると、ハンドルの静電気がユーザーの人体に放電されて、電気ショック（痛み）を受けることがある、という問題がある。
【０００５】
そこで、本発明は、この種のハンドルの扉への取り付けに用いる取付部材に簡易に取り付け、又は取付部材に代えて簡易に取り付けて、ハンドルの静電気の帯電を防止し、ユーザーのハンドルレバーの操作の際に静電気の放電による痛みなどの電気ショックを防止すること、を目的とする。
【課題を解決するための手段】
【０００６】
上記目的を達成するために、本発明は、
金属製のハンドルを扉の取付開口に扉の正面側から背面側に嵌め込み、扉の背面に金属材からなる取付部材を設け、前記取付部材を通して金属製の取付ねじを前記ハンドルの背面に締結することにより前記取付部材を扉の背面に圧接して、前記ハンドルを扉に取り付ける形式を取る前記ハンドルに装着されて、前記ハンドルの帯電を防止するハンドル用帯電防止金具であって、
（イ）金属材からなり、
（ロ）前記取付部材の各部のうち、前記取付部材の扉の背面への取付時に扉の背面に近接対向し、前記取付ねじの締め込みにより扉の背面に圧接可能な所定の位置に取り付け可能な任意の形状に形成され、又は前記取付部材と同一の又は近似した形状に形成され、
（ハ）当該形状の一部に扉の背面に向けて突出し扉の背面に食い込み可能な突起を有し、
（ニ）前記取付部材の所定の位置に取り付けられて前記取付部材と扉の背面との間に介装され、又は前記取付部材に代えて取り付けられて、
（ホ）前記取付ねじの締め込みにより前記取付部材を扉の背面に圧接させることにより、前記突起を扉の背面に食い込み接触させて、扉にアースを取る、
ことを要旨とする。
【０００７】
また、この帯電防止金具は、次のように具体化される。
（１）ハンドルの背面の前記ハンドルの長さ方向中間部に取付ねじのためのねじ締結部がある場合で、取付部材が、扉の背面で扉の取付開口両側の各縁部に圧接可能に当接する一対のフレームと、前記一対のフレーム間に連結され、前記ハンドルの背面を押え固定するための押えプレートと、前記押えプレートに前記ハンドルの背面に設けられたねじ締結部に対向して形成される前記取付ねじのためのねじ挿通部とを有する取付部材を含む、扉の背面に当接するフレーム状の部材を有する形式にあっては、前記フレーム状の部材の扉の背面に対向する縁部及びその両側に沿って嵌め込み可能に断面略コ字形に形成されて、前記フレーム状の部材の扉の背面に対向する縁部に接する中央当接部と、前記フレーム状の部材の扉の背面に対向する縁部の両側に接する両側挟持部と、前記両側挟持部の一方又は両方に形成され、前記中央当接部方向に延び、当該中央当接部を超えて突出する突起とを備え、前記フレーム状の部材に前記扉の背面に対向する縁部側から嵌め込み可能なクリップ式とする。
（２）ハンドルの背面の前記ハンドルの長さ方向中間部に取付ねじのためのねじ締結部がある場合で、取付部材が、扉の背面で扉の取付開口両側の各縁部に圧接可能に当接する一対のフレームと、前記一対のフレーム間に連結され、前記ハンドルの背面を押え固定するための押えプレートと、前記押えプレートに前記ハンドルの背面に設けられたねじ締結部に対向して形成される前記取付ねじのためのねじ挿通部とを有する取付部材を含む、扉の背面に当接するフレーム状の部材を有する形式にあっては、前記取付部材と同形状又は近似した形状からなり、前記フレーム状の部材の扉の背面に対向する縁部の両側又は片側一方に一体的に形成され、前記フレーム状の部材の扉の背面に対向する縁部方向に延び、当該縁部を超えて突出する突起を有し、前記取付部材に代えて取り付けられる取付部材式とする。
（３）ハンドルの背面の前記ハンドルの長さ方向両端部に取付ねじのためのねじ締結部がある場合で、取付部材が、扉の取付開口の当該取付開口の長さ方向両端部に形成された各ねじ挿通部の扉の背面側で扉の背面と取付ねじとの間に介装される形式にあっては、扉の背面と前記取付ねじのねじ頭部との間に介装可能に略コ字形に形成されて、前記取付ねじのねじ部を挿通可能なねじ挿通孔を有し、前記取付ねじのねじ頭部により押圧可能な中央のねじ係合部と、前記ねじ係合部から前記取付ねじのねじ部の方向に所定の長さまで延びる両側の突状部と、前記各突状部の先端から突出される突起とを有し、前記取付部材に代えて取り付けられる取付部材式とする。
（４）ハンドルの背面の前記ハンドルの長さ方向両端部に取付ねじのためのねじ締結部がある場合で、取付部材が、扉の取付開口の当該取付開口の長さ方向両端部に形成された各ねじ挿通部の扉の背面側で扉の背面と取付ねじとの間に介装される形式にあっては、扉の背面と前記取付ねじのねじ頭部との間に介装可能に略有底の筒状に形成されて、前記取付ねじのねじ部を挿通可能なねじ挿通孔を有し、前記取付ねじのねじ頭部により押圧可能な一端のねじ係合部と、前記ねじ係合部から前記取付ねじのねじ部の方向に所定の長さまで延びる筒状の突状部と、前記突状部の先端から突出される突起とを有し、前記取付部材に代えて取り付けられる取付部材式とする。
（５）ハンドルの背面に取付ねじのためのねじ締結部がある場合で、取付部材が、扉の背面と前記ハンドルの背面との間に架け渡しされ、取付ねじにより取り付けられる形式にあっては、前記ハンドルの背面を押え保持するための背面保持部、及び前記背面保持部に前記ハンドルの背面に設けられたねじ締結部に対向して形成される前記取付ねじのためのねじ挿通部と、前記背面保持部の両側から前記ハンドルの両側面に沿ってかつ扉の取付開口両側の各縁部に圧接可能に延びる両側支持部、及び前記両側支持部の少なくとも一方の扉の背面に対向する縁部に一体的に形成され、当該縁部を超えて扉の背面に向けて突出する突起とを備え、前記取付部材に代えて取り付けられる取付部材式とする。
【発明の効果】
【０００８】
本発明のハンドル用帯電防止金具によれば、上記（イ）−（ハ）の構成を備え、取付部材の所定の位置に取り付けられて取付部材と扉の背面との間に介装され、又は取付部材に代えて取り付けられて、取付ねじの締め込みにより取付部材を扉の背面に圧接させることにより、突起を扉の背面に食い込み接触させて、扉にアースを取るようにしたので、ハンドルの扉への取り付けに用いる取付部材に簡易に取り付け、又は取付部材に代えて簡易に取り付けて、ハンドルの静電気の帯電を防止し、ユーザーのハンドルレバーの操作の際に静電気による痛みなど電気ショックを防止することができる、という本発明独自の格別な効果を奏する。
【図面の簡単な説明】
【０００９】
【図１】絶縁性を有する塗装を施された扉にハンドルが取付部材を介して取り付けられ、取付部材に本発明の第１の実施の形態によるハンドル用帯電防止金具が取り付けられた状態を示す図（（ａ）はハンドルを正面から見た図（ｂ）はハンドルを側面から見た図（ｃ）はハンドルを上面から見た図）
【図２】同帯電防止金具を取付部材に取り付けた状態を示す図（（ａ）は取付部材を上面から見た図（ｂ）は取付部材を側面から見た図（ｃ）は取付部材を背面から見た図）
【図３】同帯電防止金具を示す図（（ａ）は平面断面図（ｂ）は側面図（ｃ）は正面図）
【図４】絶縁性を有する塗装を施された扉にハンドルが通常の取付部材に代えて本発明の第２の実施の形態によるハンドル帯電防止金具が取り付けられた状態を示す図（（ａ）はハンドルを正面から見た図（ｂ）はハンドルを側面から見た図（ｃ）はハンドルを背面から見た図）
【図５】同帯電防止金具を示す図（（ａ）は背面図（ｂ）は平面図（ｃ）は側面図）
【図６】絶縁性を有する塗装を施された扉にハンドルが通常の取付部材に代えて本発明の第３の実施の形態によるハンドル用帯電防止金具が取り付けられた状態を示す図（ハンドルを側面から見た図）
【図７】同帯電防止金具の扉への取り付け状態を分解して示す図
【図８】同帯電防止金具を示す図（（ａ）は平面図（ｂ）は正面図（ｃ）は側面図）
【発明を実施するための形態】
【００１０】
次に、この発明を実施するための形態について図を用いて説明する。
図１乃至図３に第１の実施の形態を示している。図１はハンドルが絶縁性を有する塗装を施された扉に取付部材を介して取り付けられた状態で、この取付部材にハンドル用帯電防止金具が取り付けられた状態を示し、図２はこのハンドルに用いる取付部材をハンドル用帯電防止金具とともに示し、図３はハンドル用帯電防止金具単体を示している。
【００１１】
図１に示すように、ハンドル用帯電防止金具Ａ１（以下、単に帯電防止金具Ａ１という。）は、金属製のハンドルＨ１を扉Ｄの取付開口ｄ１に扉Ｄの正面側から背面側に嵌め込み、扉Ｄの背面に金属材からなる取付部材Ｂを設け、この取付部材Ｂを通して金属製の取付ねじＳをハンドルＨ１の背面に締結することにより取付部材Ｂを扉Ｄの背面に圧接して、ハンドルＨ１を扉Ｄに取り付ける形式を取るハンドルＨ１に装着され、ハンドルＨ１の帯電を防止するものである。
【００１２】
この実施の形態では、ハンドルＨ１として重電機器、電気設備などの機器格納用のキャビネットの扉に使用される公知の平面ハンドルを例示している。
このハンドルＨ１は、扉に固着されるハンドルベースｈ１と、ハンドルベースｈ１に回転可能に挿通されるハンドル軸ｈ２に回動軸（図示省略）を介してハンドルベースｈ１に対して起伏回動可能に装着されるハンドルレバーｈ３と、ハンドルベースｈ１の背面側にハンドル軸ｈ２を介して回転可能に取り付けられ、ハンドルレバーｈ３の回転操作によりキャビネット本体などの固定枠体側の受け金に対して係脱可能な止め金ｈ４とを備え、この場合、ハンドルレバーｈ３は、ユーザーがハンドルレバーｈ３の下端に背面側から指先を掛けて引き上げる形式になっている。
このハンドルＨ１は、ハンドルベースｈ１が、ハンドルレバーｈ３を収容可能な正面に開口を有するケースｈ１０と、ケースｈ１０の開口周囲に張り出されるフランジｈ１１とからなり、ケースｈ１０が扉Ｄの取付開口ｄ１に扉Ｄの正面側から背面側に嵌め込まれ、フランジＨ１１が扉Ｄの正面側で取付開口ｄ１周囲に係止された状態から、扉Ｄの背面に金属材からなる取付部材Ｂを介して金属製の取付ねじＳにより取り付けられる。この場合、ハンドルＨ１は、ハンドルＨ１の背面のハンドルＨ１の長さ方向（この場合、上下方向）中間部に取付ねじＳのためのねじ締結部としてねじ孔（図示省略）を有し、取付部材Ｂは、図１、図２に示すように、扉Ｄの背面で扉Ｄの取付開口ｄ１両側の各縁部に圧接可能に当接する一対のフレームＢ１と、一対のフレームＢ１間に連結され、ハンドルＨ１の背面を押え固定するための押えプレートＢ２と、この押えプレートＢ２にハンドルＨ１の背面に設けられたねじ締結部に対向して形成される取付ねじＳのためのねじ挿通部Ｂ３とを有する。ハンドルＨ１は、扉Ｄの取付開口ｄ１に扉Ｄの正面側から背面側に嵌め込まれた状態で、扉Ｄの背面に取付部材Ｂが配設され、この取付部材Ｂの押えプレートＢ２のねじ挿通部Ｂ３を通して金属製の取付ねじＳがハンドルＨ１の背面のねじ孔に締結されて、取付部材Ｂの一対のプレートＢ１が扉Ｄの背面に圧接されることにより、扉Ｄに取り付けられる。
このようにして扉Ｄの開閉時にハンドルレバーｈ３をハンドルベースｈ１から引き起こして回転操作することにより止め金ｈ４を受け金に対して係脱し、扉Ｄを閉めた後はハンドルレバーｈ３をハンドルベースｈ１上に倒伏して収納する形式になっている。
【００１３】
帯電防止金具Ａ１は、図３に示すように、金属材からなり、取付部材Ｂの各部のうち、取付部材Ｂの扉Ｄの背面への取付時に扉Ｄの背面に近接対向し、取付ねじＳの締め込みにより扉Ｄの背面に圧接可能な所定の位置に取り付け可能な任意の形状に形成され、当該形状の一部に扉Ｄの背面に向けて突出し扉Ｄの背面に食い込み可能な突起１３を有している。
この場合、帯電防止金具Ａ１は、バネ性を有する金属プレートからなり、取付部材Ｂの一方のフレームＢ１の両端部で扉Ｄの背面に対向する縁部及びその両側面に沿って嵌め込み可能に断面略コ字形に形成されて、一方のフレームＢ１の両端部縁部に接する中央当接部１１と、一方のフレームＢ１の両端部縁部の両側側面に接する両側挟持部１２と、両側挟持部１２の一方に略三角形状に切り抜き形成されて、中央当接部１１方向に延び、当該中央当接部１１を所定の寸法だけ超えて突出する先端に鋭角の刃先１３１を有する突起１３とを備え、一方のフレームＢ１に両端部縁部側から嵌め込み可能に板ばね作用を有するクリップ式になっている。また、この帯電防止金具Ａ１の場合、中央当接部１１の幅寸法がこの取付部材ＢのフレームＢ１の縁部の幅よりも少し大きく取られていて、突起１３のない他方側の挟持部１２は中央当接部１１に対して略直角に連接され、突起１３のある一方側の挟持部１２は中央当接部１１に対して鋭角に斜めに連接されて、両側挟持部１２の間隔が中央当接部１１の幅よりも狭められている。なお、この帯電防止金具Ａ１の場合、一方側の挟持部１２に突起１３を切り抜き形成するために、一方側の挟持部１２が略Ｍ字形に切り抜かれ、中央当接部１１が一方側の挟持部１２側を略長方形に切り抜かれていて、この切り抜き部分の角部分は突起１３の刃先１３１以外はすべてアールが付けられて丸角になっている。
【００１４】
このようにして帯電防止金具Ａ１は、図１に示すように、ハンドルＨ１の扉Ｄへの取り付けの際に、取付部材Ｂの所定の位置に、この場合、一方のフレームＢ１の両端部に取り付けられ、ハンドルＨ１が、扉Ｄの取付開口ｄ１に扉Ｄの正面側から背面側に嵌め込まれ、扉Ｄの背面に取付部材Ｂが配設されて、帯電防止金具Ａ１が取付部材Ｂと扉Ｄの背面との間に介装され、この状態から、取付部材Ｂの押えプレートＢ２のねじ挿通部Ｂ３を通して金属製の取付ねじＳがハンドルＨ１の背面のねじ孔に締め込まれて、取付部材Ｂの一対のプレートＢ１が扉Ｄの背面に圧接されて、ハンドルＨ１が扉Ｄに取り付けられ、取付部材Ｂの扉Ｄの背面への圧接により突起１３が扉Ｄの背面に食い込み接触されて、突起１３の刃先１３１が扉Ｄの塗装の膜を突き破り、扉Ｄの金属部分に達して、ハンドルＨ１から扉Ｄへのアースが確保される。これにより、ハンドルＨ１の帯電が防止され、ユーザーが扉Ｄを開閉するため、手でハンドルレバーｈ３を触っても、ハンドルＨ１の静電気がユーザーの人体に放電され電気ショック（痛み）を受けることがない。
【００１５】
以上説明したように、この帯電防止金具Ａ１によれば、取付部材ＢのフレームＢ１の両端部で扉Ｄの背面に対向する縁部及びその両側に沿って嵌め込み可能に断面略コ字形に形成されて、フレームＢ１の縁部に接する中央当接部１１と、フレームＢ１の縁部の両側に接する両側挟持部１２と、両側挟持部１２の一方に形成され、中央当接部１１方向に延び、この中央当接部１１を超えて突出する先端に鋭角の刃先１３１を有する突起１３とを備えて、フレームＢ１の縁部から嵌め込み可能なクリップ式とし、取付部材Ｂの一方のフレームＢ１の所定の位置、この場合、フレームＢ１の両端部に取り付けられて取付部材Ｂと扉Ｄの背面との間に介装され、取付ねじの締め込みにより取付部材Ｂを扉Ｄの背中に圧接させることにより、突起１３を扉Ｄの背面に食い込み接触させて、扉Ｄにアースを取るようにしたので、ハンドルＨ１の扉Ｄへの取り付けに用いる取付部材Ｂに簡易に取り付けて、ハンドルＨ１の静電気の帯電を防止し、ユーザーのハンドルレバーｈ３の操作の際に静電気による痛みなど電気ショックを防止することができる。
また、この帯電防止金具Ａ１は、取付部材Ｂとは別体のクリップ式としたので、取付部材Ｂに後付けで取り付けることができるので、既設の扉にも上記と同様に用いることができ、上記と同様の作用効果を得ることができる。また、この帯電防止金具Ａ１の場合、中央当接部１１の幅寸法が取付部材ＢのフレームＢ１の縁部の幅よりも少し大きく取られていて、突起１３のない他方側の挟持部１２は中央当接部１１に対して略直角に連接され、突起１３のある一方側の挟持部１２は中央当接部１１に対して鋭角に斜めに連接されて、両側挟持部１２の間隔が中央当接部１１の幅よりも狭められて板ばね作用を有するクリップ式になっているので、取付部材ＢのフレームＢ１の板厚が異なるものであっても、一定の範囲の板厚に対応することができ、大きさの異なる取付部材に共通の部品として使用することができる。
【００１６】
なお、第１の実施の形態で例示した取付部材Ｂは一例であり、扉Ｄの背面に当接するフレーム状の部材を有する形式のものであれば、全体の形状、構造が異なるものであっても、この帯電防止金具Ａ１を上記と同様に取り付けることができ、上記と同様の作用効果を得ることができる。
また、この実施の形態では、帯電防止金具Ａ１の両側挟持部１２の一方に突起１３を設けたが、両側挟持部１２の両方に突起１３を設けてもよい。
【００１７】
図４及び図５に第２の実施の形態を示している。図４はハンドルが絶縁性を有する塗装を施された扉に本来の取付部材に代えてハンドル用帯電防止金具を介して取り付けられた状態を示し、図５はハンドル用帯電防止金具単体を示している。
【００１８】
図４に示すように、このハンドル用帯電防止金具Ａ２（以下、単に帯電防止金具Ａ２という。）もまた、金属製のハンドルＨ２を扉Ｄの取付開口ｄ１に扉Ｄの正面側から背面側に嵌め込み、扉Ｄの背面に金属材からなる取付部材（図示省略）を設け、この取付部材を通して金属製の取付ねじＳをハンドルＨ２の背面に締結することにより取付部材を扉Ｄの背面に圧接して、ハンドルＨ２を扉Ｄに取り付ける形式を取るハンドルＨ２に装着され、ハンドルＨ２の帯電を防止するものである。
【００１９】
この実施の形態では、ハンドルＨ２として重電機器、電気設備などの機器格納用のキャビネットの扉に使用される公知の平面ハンドルを例示している。
このハンドルＨ２は、ハンドルレバーｈ３を収容可能に正面に開口を有するケースｈ１０及びケースｈ１０の開口周囲に張り出されるフランジｈ１１からなり、扉Ｄに固着されるハンドルベースｈ１と、ハンドルベースｈ１に回転可能に挿通されるハンドル軸ｈ２に回動軸（図示省略）を介してハンドルベースｈ１に対して起伏回動可能に装着されるハンドルレバーｈ３と、ハンドルベースｈ１の背面側にハンドル軸ｈ２を介して回転可能に取り付けられ、ハンドルレバーｈ３の回転操作によりキャビネット本体などの固定枠体側の受け金に対して係脱可能な止め金ｈ４とを有して、第１の実施の形態と共通の基本構成を備え、全体の意匠的デザインの点、ハンドルレバーｈ３がハンドルレバーｈ３の下端の押しボタンｈ５を押すことで跳ね上がる形式になっている点で、第１の実施の形態とは若干異なる。
このハンドルＨ２は、ハンドルベースｈ１（のケースｈ１０）が扉Ｄの取付開口ｄ１に扉Ｄの正面側から背面側に嵌め込まれ（フランジｈ１１を扉Ｄの正面側で取付開口ｄ１周囲に係止されて）、扉Ｄの背面に金属材からなる取付部材を介して金属製の取付ねじＳにより取り付けられる。この場合、ハンドルＨ２は、ハンドルＨ２の背面のハンドルＨ２の長さ方向（この場合、上下方向）両端部にそれぞれ取付ねじＳのためのねじ締結部として凸状のねじ孔（ボス）ｈ１２を有し、取付部材（図示省略）は、扉Ｄの取付開口ｄ１の長さ方向（この場合、上下方向）両端部に形成された各ねじ挿通部ｄ２の扉Ｄの背面側でハンドルベースｈ１のボスｈ１２の周囲に外嵌配置されて扉Ｄの背面と取付ねじＳとの間に介装される形式のもので、ハンドルＨ２は、扉Ｄの取付開口ｄ１に扉Ｄの正面側から背面側に嵌め込まれて、扉Ｄの各ねじ挿通部ｄ２から突出される各ボスｈ１２に取付部材が外嵌されて扉Ｄの背面側に配設され、これらの取付部材を通して金属製の取付ねじＳをハンドルＨ２の背面の各ボスｈ１２に締結されて、各取付部材が扉Ｄの背面に圧接されることにより、ハンドルＨ２が扉Ｄに取り付けられる。
このようにして扉Ｄの開閉時にハンドルレバーｈ３をハンドルベースｈ１から引き起こして回転操作することにより止め金ｈ４を受け金に対して係脱し、扉Ｄを閉めた後はハンドルレバーｈ３をハンドルベースｈ１上に倒伏して収納する形式になっている。
【００２０】
帯電防止金具Ａ２は、図５に示すように、金属材からなり、本来の取付部材と同一又は近似した形状に形成され、この形状の一部に扉Ｄの背面に向けて突出し扉Ｄの背面に食い込み可能な突起２３を有している。
この場合、帯電防止金具Ａ２は、金属プレートからなり、扉Ｄの各ねじ挿通部ｄ２の背面側でハンドルＨ２の各ボスｈ１２の周囲に配置されて扉Ｄの背面と取付ねじＳのねじ頭部との間に介装可能に略コ字形に形成されて、取付ねじＳのねじ部を挿通可能なねじ挿通孔２１０を有し、取付ねじＳのねじ頭部により係合し押圧可能な中央のねじ係合部２１と、ねじ係合部２１の両側から取付ねじＳのねじ部の方向に所定の長さまで延びる両側の突状部２２と、各突状部２２の先端から突出される先端に鋭角の刃先２３１を有する突起２３とを有し、本来の取付部材に代えて取り付けられる取付部材式になっている。
また、この帯電防止金具Ａ２の場合、各突状部２２の先端縁部が凹状の円弧状に形成されてこれを突起２３とし、この円弧状の突起２３の両端に鋭角の刃先２３１が設けられている。
【００２１】
このようにして帯電防止金具Ａ２は、図４に示すように、ハンドルＨ２の扉Ｄへの取り付けの際に、本来の取付部材の所定の位置に、この場合、ハンドルＨ２が、扉Ｄの取付開口ｄ１に扉Ｄの正面側から背面側に嵌め込まれ、併せてハンドルＨ２の各ボスｈ１２が扉Ｄの各ねじ挿通部ｄ２に通された状態から、扉Ｄのねじ挿通部ｄ２の扉Ｄの背面側で各ボスｈ１２の周囲に外嵌配置されて本来の取付部材に代えて取り付けられ、この状態から、各帯電防止金具Ａ２の中央のねじ係合部２１（のねじ挿通孔２１０）を通して金属製の取付ねじＳがハンドルＨ２の各ボスｈ１２に締め込まれ、本来の取付部材に代えて帯電防止金具Ａ２が扉Ｄの背面に圧接されることにより、ハンドルＨ２が扉Ｄに取り付けられ、帯電防止金具Ａ２の扉Ｄの背面への圧接により突起２３が扉Ｄの背面に食い込み接触されて、突起２３の刃先２３１が扉Ｄの塗装の膜を突き破り、扉Ｄの金属部分に達して、ハンドルＨ２から扉Ｄへのアースが確保される。これにより、ハンドルＨ２の帯電が防止され、ユーザーが扉Ｄを開閉するため、手でハンドルレバーｈ３を触っても、ハンドルＨ２の静電気がユーザーの人体に放電され電気ショック（痛み）を受けることがない。
【００２２】
以上説明したように、この帯電防止金具Ａ２によれば、扉Ｄの各ねじ挿通部ｄ２の扉Ｄの背面側で扉Ｄの背面と取付ねじＳのねじ頭部との間に介装可能に略コ字形に形成されて、取付ねじＳのねじ部を挿通可能なねじ挿通孔２１０を有し、取付ねじＳのねじ頭部により押圧可能な中央のねじ係合部２１と、ねじ係合部２１から取付ねじＳのねじ部の方向に所定の長さまで延びる両側の突状部２２と、各突状部２２の先端から突出される先端に鋭角の刃先２３１を有する突起２３とを備えて、本来の取付部材に代えて取り付けられる取付部材式とし、取付部材の所定の取付位置、この場合、扉Ｄの各ねじ挿通部ｄ２の扉Ｄの背面側で各ボスｄ２の周囲に取り付けられて扉Ｄの背面と取付ねじＳのねじ頭部との間に介装可能に配置され、取付ねじＳの締め込みにより帯電防止金具Ａ２を扉Ｄの背面に圧接させることにより、突起２３を扉Ｄの背面に食い込み接触させて、扉Ｄにアースを取るようにしたので、ハンドルＨ２の扉Ｄへの取り付けに用いる本来の取付部材に代えて簡易に取り付けて、ハンドルＨ２の静電気の帯電を防止し、ユーザーのハンドルレバーｈ３の操作の際に静電気による痛みなど電気ショックを防止することができる。
また、この帯電防止金具Ａ２は、取付部材と同形状又は近似した形状の取付部材式としたので、ハンドルＨ２のボスｈ１２に後付けで取り付けることができ、既設の扉にも上記と同様に用いることができ、上記と同様の作用効果を得ることができる。
【００２３】
なお、第２の実施の形態では、帯電防止金具の形状を全体として略コ字形としたが、全体の形状を筒形形状に変えてもよい、この場合、帯電防止金具は、扉の背面と取付ねじのねじ頭部との間に介装可能に略有底の筒状に形成されて、取付ねじのねじ部を挿通可能なねじ挿通孔を有し、取付ねじのねじ頭部により押圧可能な一端のねじ係合部と、ねじ係合部から取付ねじのねじ部の方向に所定の長さまで延びる筒状の突状部と、突状部の先端から突出される先端に鋭角の刃先を有する突起とを備えて、本来の取付部材に代えて取り付けられる取付部材式とする。このようにしても第２の実施の形態と同様に取付部材の取付位置に本来の取付部材に代えて取り付けられ、第２の実施の形態と同様の作用効果を奏することができる。
【００２４】
また、第１の実施の形態では、帯電防止金具を取付部材とは別体のクリップ式としたが、第１の実施の形態の場合でも、第２の実施の形態と同様に、本来の取付部材に代えて取り付けられる取付部材式とすることができる。この場合、帯電防止金具は、取付部材と同形状又は近似した形状からなり、一方又は両方のフレームの扉の背面に対向する縁部の両側又は片側一方に一体的に、フレームの扉の背面に対向する縁部方向に延び、当該縁部を超えて突出する先端に鋭角の刃先を有する突起が形成されて、本来の取付部材に代えて取り付けられる取付部材式とする。このようにしても第２の実施の形態と同様に本来の取付部材に代えて取り付けられ、第２の実施の形態と同様の作用効果を奏することができる。
【００２５】
第１、第２の実施の形態ではいずれも、ハンドルとして平面ハンドルを例示したが、各種の機器格納用のキャビネットやケースの扉その他各種の扉に使用され、静電気が帯電するおそれのある各種のハンドルに適用できることは言うまでもない。
【００２６】
図６乃至図８に第３の実施の形態を示している。図６、図７はハンドルが絶縁性を有する塗装を施された扉に本来の取付部材に代えてハンドル用帯電防止金具を介して取り付けられた状態を示し、図８はハンドル用帯電防止金具単体を示している。
【００２７】
図６、図７に示すように、ハンドル用帯電防止金具Ａ３（以下、単に帯電防止金具Ａ３という。）もまた、金属製のハンドルＨ３を扉Ｄの取付開口ｄ１に扉Ｄの正面側から背面側に嵌め込み、扉Ｄの背面に金属材からなる取付部材（図示省略）を設け、この取付部材を通して金属製の取付ねじＳをハンドルＨ３の背面に締結することにより取付部材を扉Ｄの背面に圧接して、ハンドルＨ３を扉Ｄに取り付ける形式を取るハンドルＨ３に装着され、ハンドルＨ３の帯電を防止するものである。
【００２８】
この実施の形態では、ハンドルＨ３として重電機器、電気設備などの機器格納用のキャビネットの扉に使用される公知のラッチ式の平面ハンドルを例示している。
このハンドルＨ３は、正面に開口を有し、この開口縁部にフランジｈ３１１を有し、扉Ｄに固着されるケースｈ３１と、ケースｈ３１の正面開口に枢支ピン（図示省略）を介して引き出し回転可能に収容される操作ハンドルｈ３２と、ケースｈ３１の背面に所定の間隔をおいてケースｈ３１に固着され、ケース３１の背面との間に上下方向に向けて角筒状のラッチガイドｈ３３が介設されるベースプレートｈ３４と、このラッチガイドｈ３３内に上下方向に進退可能にかつ圧縮コイルスプリング（図示省略）により常態として上端部がベースプレートｈ３４の上端面開口から突出されて配置され、操作ハンドルｈ３２に作動連結されて、操作ハンドルｈ３２の引き出し回転操作によりキャビネット本体などの固定枠体側の受け金に対して係脱される角棒状のラッチｈ３５とを備え、この場合、操作ハンドルｈ３２は、ユーザーが操作ハンドルｈ３２の下端に指先を掛けて引き出す形式になっている。
このハンドルＨ３は、ケースｈ３１が扉Ｄの取付開口ｄ１に扉Ｄの正面側から背面側に嵌め込まれ、フランジＨ３１１が扉Ｄの正面側で取付開口ｄ１周囲に係止された状態から、金属製の取付部材（図示省略）が、扉Ｄの背面とハンドルＨ３の背面との間に架け渡しされ、金属製の取付ねじＳにより取り付けられる。この場合、ハンドルＨ３は、ハンドルＨ３の背面、ベースプレートｈ３４の所定の位置に取付ねじＳのためのねじ締結部として複数のねじ孔ｈ３６を有し、取付部材は、例えば、断面Ｚ形に折り曲げ形成された取付ブラケットで、ハンドルＨ３は、扉Ｄの取付開口ｄ１に扉Ｄの正面側から背面側に嵌め込まれた状態で、取付部材がハンドルＨ３の背面、ベースプレートｈ３４と扉Ｄの背面との間に架け渡しされ、取付ねじＳにより取り付けられて、扉Ｄに固定保持される。
このようにして扉Ｄの開閉時に操作ハンドルｈ３２をケースｈ３１の正面開口から引き出す操作又は元に戻す操作によりラッチｈ３５を受け金に対して係脱する形式になっている。
【００２９】
帯電防止金具Ａ３は、図８に示すように、金属材からなり、ハンドルＨ３の背面を押え保持するための背面保持部３１、及びこの背面保持部３１にハンドルＨ３の背面に設けられたねじ締結部に対向して形成される取付ねじＳのためのねじ挿通部３０と、背面保持部３１の両側からハンドルＨ３の両側面に沿ってかつ扉Ｄの取付開口ｄ１両側の各縁部に圧接可能に延びる両側支持部３２、及びこの両側支持部３２の少なくとも一方の、扉Ｄの背面に対向する縁部に一体的に形成され、当該縁部を超えて扉Ｄの背面に向けて突出する突起３３とを備え、取付部材に代えて取り付けられる取付部材式とする。
この場合、帯電防止金具Ａ３は所定の大きさを有する略矩形状の金属プレートが断面略コ字形に折り曲げられて形成され、その中央の部分が背面保持部３１をなし、その中央の部分に対して略直角の左右両側の部分がそれぞれ両側支持部３２をなす。ここで背面保持部３１は一方の辺の寸法（縦方向の寸法）がハンドルＨ３の背面（ベースプレートｈ３４の）の上下方向の寸法と略同じで、他方の辺の寸法（横方向の寸法）が扉Ｄの取付開口ｄ１の幅方向（左右方向）の寸法よりも少し大きい略矩形の平板状に形成され、ハンドルＨ３のベースプレートｈ３４の各ねじ孔ｈ３６に対応する位置に複数のねじ挿通部３０が穿たれる。両側支持部３２はそれぞれ、一方の辺の寸法（縦方向の寸法）が背面保持部３１の一方の辺と共通で、他方の辺の寸法が扉Ｄに取り付けられるハンドルＨ３の扉Ｄの背面側に突出されるケースｈ３１及びベースプレート３３４を合せた奥行方向の寸法と略同じ略矩形の平板状に形成され、その扉Ｄの背面に対向する各縁部に突起３３が一体的に当該縁部を超えて扉Ｄの背面に向けて突出するように形成される。ここで突起３３はそれぞれ、両側支持部３２の扉Ｄの背面に対向する縁部の上下方向中間の所定の位置に溝３４が略矩形状に形成されて、この溝３４に対して片側一方の縁部でこの溝３４に直近の所定の位置に、溝３４側の片側一方（図中、Ｐ１で示す部分）が溝３４からこの溝３４を拡開する方向に斜めに切り欠かれ、その片側他方（図中、Ｐ２で示す部分）が略台形状又は略三角形状に切り欠かれて、この縁部を所定の寸法だけ超えて突出する先端に鋭角の刃先３３１を有する略三角形状に形成される。
【００３０】
このようにして帯電防止金具Ａ３は、図６に示すように、ハンドルＨ３の扉Ｄへの取り付けの際に、取付部材に代えて使用され、この帯電防止金具Ａ３により、ハンドルＨ３が扉Ｄに取り付けられる。この場合、ハンドルＨ３が、扉Ｄの取付開口ｄ１に扉Ｄの正面側から背面側に嵌め込まれて、ハンドルＨ３の背面、ベースプレートｈ３４上に帯電防止金具Ａ３が被せられ、背面保持部３１がハンドルＨ３の背面、ベースプレートｈ３４上に合わせられ、両側支持部３２がハンドルＨ３の両側面、ケースｈ３１及びベースプレートｈ３４の両側面に合わせられて、金属製の取付ねじＳが背面保持部３１のねじ挿通部３０を通してハンドルＨ３の背面、ベースプレートｈ３４のねじ孔ｈ３６に締め込まれ、この帯電防止金具Ａ３の両側支持部３２の各縁部が扉Ｄの背面の取付開口ｄ１両側の各縁部に圧接されて、ハンドルＨ３が扉Ｄに取り付けられ、この帯電防止金具Ａ３の両側支持部３２の扉Ｄの背面への圧接により各突起３３が扉Ｄの背面に食い込み接触されて、各突起３３の刃先３３１が扉Ｄの塗装の膜を突き破り、扉Ｄの金属部分に達して、ハンドルＨ３から扉Ｄへのアースが確保される。これにより、ハンドルＨ３の帯電が防止され、ユーザーが扉Ｄを開閉するため、手で操作ハンドルｈ３２を触っても、ハンドルＨ３の静電気がユーザーの人体に放電され電気ショック（痛み）を受けることがない。
【００３１】
以上説明したように、この帯電防止金具Ａ３は、ハンドルＨ３の背面を押え保持するための背面保持部３１、及びこの背面保持部３１にハンドルＨ３の背面に設けられたねじ締結部に対向して形成される取付ねじＳのためのねじ挿通部３０と、背面保持部３１の両側からハンドルＨ３の両側面に沿ってかつ扉Ｄの取付開口ｄ１両側の各縁部に圧接可能に延びる両側支持部３２、及びこれら両側支持部３２の少なくとも一方の、扉Ｄの背面に対向する縁部に一体的に形成され、当該縁部を超えて扉Ｄの背面に向けて突出する突起３３とを備え、取付部材に代えて取り付けられる取付部材式とし、ハンドルＨ３が、扉Ｄの取付開口ｄ１に扉Ｄの正面側から背面側に嵌め込まれた状態で、ハンドルＨ３の背面側に帯電防止金具Ａ３を被せ付け、この帯電防止金具Ａ３を通してハンドルＨ３の背面のねじ締結部に取付ねじＳを締め込むことにより、両側支持部３２の縁部を扉Ｄの背面の取付開口ｄ１両側の各縁部に圧接して、ハンドルＨ３を扉Ｄに固定保持するとともに、両側支持部３２の各突起３３を扉Ｄの背面の取付開口ｄ１両側の各縁部に食い込み接触させて、扉Ｄにアースを取るようにしたので、この帯電防止金具Ａ３を、ハンドルＨ３の扉Ｄへの取り付けに用いる取付部材に代えて簡易に取り付けることができ、この帯電防止金具Ａ３により、ハンドルＨ３の静電気の帯電を防止し、ユーザーの操作ハンドルｈ３２の操作の際に静電気による痛みなど電気ショックを防止することができる。
また、この帯電防止金具Ａ３を、ハンドルＨ３の扉Ｄへの取り付けに用いる取付部材に代える取付部材式としたので、この帯電防止金具Ａ３は、この種のハンドルを扉に新規に取り付ける場合や交換する場合に、ハンドルの扉への取り付けに用いて、ハンドルの帯電を防止することができ、また、既存のハンドルにも後付けにより取り付けて、ハンドルの帯電を防止することができる。
【００３２】
なお、このようなラッチ式の平面ハンドルの場合、この平面ハンドルの取付部材を、上記帯電防止金具Ａ３と同様に、ハンドルの背面を押え保持するための背面保持部、及びこの背面押え部にハンドルの背面に設けられたねじ締結部に対向して形成される取付ねじのためのねじ挿通部と、背面保持部の両側からハンドルの両側面に沿ってかつ扉の取付開口両側の各縁部に圧接可能に延びる両側支持部とを備えて構成し、帯電防止金具を、この取付部材の付属品として、第１の実施の形態と同様に、両側支持部の扉の背面に対向する縁部及びその両側に沿って嵌め込み可能に断面略コ字形に形成して、両側支持部の扉の背面に対向する縁部に接する中央当接部と、両側支持部の扉の背面に対向する縁部の両側に接する両側挟持部と、両側挟持部の一方又は両方に形成され、中央当接部方向に延び、当該中央当接部を超えて突出する突起とを備え、この取付部材の両側支持部の少なくとも一方に扉の背面に対向する縁部側から嵌め込み可能なクリップ式として構成することもできる。このようにしても同様の作用効果を得ることができる。
【符号の説明】
【００３３】
Ｈ１、Ｈ２、Ｈ３  ハンドル（平面ハンドル）
ｈ１  ハンドルベース
ｈ１０  ケース
ｈ１１  フランジ
ｈ１２  凸状のねじ孔（ボス）
ｈ２  ハンドル軸
ｈ３  ハンドルレバー
ｈ４  止め金
ｈ５  押しボタン
ｈ３１  ケース
ｈ３１１  フランジ
ｈ３２  操作ハンドル
ｈ３３  ラッチガイド
ｈ３４  ベースプレート
ｈ３５  ラッチ
ｈ３６  ねじ孔
Ｄ  扉
ｄ１  取付開口
ｄ２  ねじ挿通部
Ｂ  取付部材
Ｂ１  フレーム
Ｂ２  押えプレート
Ｂ３  ねじ挿通部
Ｓ  取付ねじ
Ａ１  ハンドル用帯電防止金具
１１  中央当接部
１２  両側挟持部
１３  突起
１３１  刃先
Ａ２  ハンドル用帯電防止金具
２１  ねじ係合部
２１０  ねじ挿通孔
２２  両側突状部
２３  突起
２３１  刃先
Ａ３  ハンドル用帯電防止金具
３０  ねじ挿通部
３１  背面保持部
３２  両側支持部
３３  突起
３３１  刃先
３４  溝
【図１】
0006479561.tif 000002
【図２】
0006479561.tif 000003
【図３】
0006479561.tif 000004
【図４】
0006479561.tif 000005
【図５】
0006479561.tif 000006
【図６】
0006479561.tif 000007
【図７】
0006479561.tif 000008
【図８】
0006479561.tif 000009